(57)【特許請求の範囲】
【請求項１】
ケーシング（１）とドア（２）とを有するポータブルデータプレーヤ及び／又はレコーダにおいて、前記ドア（２）が軸線ＡＡ′を中心に旋回可能に前記ケーシング（１）に取り付けられており、前記軸線ＡＡ′が第１の方向と第２の方向とを規定しており、ドア（２）とケーシング（１）とが、相対的に、少なくとも２つの角度位置範囲、すなわちドア（２）が広く開放している第１の位置範囲及びドア（２）が開放している第２の位置範囲と、閉鎖位置とを占めることができ、該閉鎖位置が、ドア（２）が前記ケーシング（１）の開口（４）を閉鎖する位置であり、
第１の角度位置範囲において、ドア（２）が、軸線ＡＡ′に沿って第１の方向に、ドア（２）の第１の肩部（１４，１５，２２）がケーシング（１）の第１の肩部（１９，２０，２１）に当接する第１の軸方向位置にまでスライドすることができ、
第１の角度位置範囲において、前記ドア（２）が、軸線ＡＡ′に沿って第２の軸方向に、ドア（２）とケーシング（１）とが互いに解離させられる第２の軸方向位置にまでスライドすることができ、
第２の角度位置範囲でかつ第１の軸方向位置において、ドア（２）の第２の肩部（１８，１８′）がケーシング（１）の第２の肩部（１１）に当接し、これにより、ドア（２）が軸線ＡＡ′に沿って第２の方向に移動することを防止するようになっていることを特徴とする、ポータブルデータプレーヤ及び／又はレコーダ。
【請求項２】
前記ケーシング（１）とドア（２）とには、ドア（２）をケーシング（１）に取り付けるためにヒンジ（７，８）又はブラケット（１６，１７）が設けられており、前記ヒンジ（７，８）が、ケーシング（１）の第１の凹所（５，６）の、第１の肩部である面（１９，２０）から突出したシャフトとして形成されており、前記ブラケット（１６，１７）が、ドア（２）の主面（１２）から外方へ突出した第１のリブ（１４，１５）の孔として形成されている、請求項１記載のポータブルデータプレーヤ及び／又はレコーダ。
【請求項３】
前記ドア（２）の第２の肩部（１８）が、前記ドア（２）の主面（１２）から突出した第２のリブ（１８）として形成されており、ケーシングの第２の肩部が、孔（１０）の面（１１）として形成されている、請求項１又は２記載のポータブルデータプレーヤ及び／又はレコーダ。
【請求項４】
前記ドア（２）又はケーシング（１）のうち一方に突起（２４）が設けられており、他方に第３の肩部（１１）において凹所（２３）が設けられており、該凹所の寸法が、突起（２４）が凹所（２３）に嵌合することができるようになっており、突起（２４）が、開放位置範囲の少なくとも一部において第３の肩部（１１）に当接するようになっており、前記突起（２４）が、開放位置のうちの１つにおいて第３の肩部の前記凹所（２３）に突入する位置にある、請求項１から３までのいずれか１項記載のポータブルデータプレーヤ及び／又はレコーダ。
【請求項５】
前記第３の肩部（１１）が、ケーシング（１）に設けられた孔（１０）の面（１１）であり、前記突起（２４）が、前記面（１１）から外方へ突出した延長部であり、前記凹所（２３）が、ドア（２）の主面（１２）からケーシング（１）の内部に向かって外方へ突出した第３のリブ（１８）に配置されている、請求項１から３までのいずれか１項記載のポータブルデータプレーヤ及び／又はレコーダ。
【請求項６】
ドア（２）の第３及び第２の肩部が、同じリブ（１８）である、請求項５記載のポータブルデータプレーヤ及び／又はレコーダ。
【発明の詳細な説明】
【０００１】
本発明は、ポータブルデータプレーヤ又はレコーダの分野であり、特にコンパクトディスクプレーヤの分野である。
【０００２】
磁気レコーダ又はコンパクトディスクプレーヤ等のポータブルデータプレーヤには、開口を有するケーシングが設けられている。ケーシングの前記開口は、前記ケーシングに例えばヒンジ及びブラケットによって旋回可能に取り付けられたドアの位置に応じて開閉させられてよい。以後、ケーシングに対するドアの旋回軸は軸線ＡＡ′と呼ぶ。通常、ドアは、工場においてケーシングに組み付けられ、このようなポータブルデータプレーヤ又はコンパクトディスクプレーヤの使用者によって容易に分解することはできない。
【０００３】
コンパクトディスクドアは、ポータブルコンパクトディスクプレーヤの最も重要な外部部材のうちの１つである。なぜならば、ドアは、大きな面を有し、コンパクトディスクプレートに、別のコンパクトディスクプレーヤと区別する、外観の大部分を与えるからである。
【０００４】
さらに、コンパクトディスクプレーヤは、ポータブル装置を外部の影響から保護するために支持されており、これにより、全ての外部衝撃を受け、このような衝撃は、例えばコンパクトディスクプレーヤに傷を付け、プレーヤがすり切れているように見せる。
【０００５】
本発明の目的は、いかなる工具をも必要とせずに使用者によって容易に組み立てられる又はケーシングから分解されることができるドアを備えた、ポータブルディスクプレーヤである。以下には本発明はディスクプレーヤのために説明されるが、以下の説明に示される原理はあらゆる別のデータプレーヤに適用することもできる。
【０００６】
このような容易に組み立てられるドアにより、使用者は、最も好みに適した、用意されているドアの色を選択してよい。また、複数のドアを各ポータブルプレーヤと共に販売してもよく、これにより、使用者は、ある日に最も好ましいドアを１つ選択して組み付け、別の日には別のドアを選択して組み付けることができる。
【０００７】
本発明によれば、ドアは、ケーシングに取り付けられたときに少なくとも２つの角度開放位置範囲と、ドアが閉鎖されてケーシングの開放を閉鎖する第３の位置とを占めることが可能である。
【０００８】
広く開放していると呼ばれる角度位置の第１の範囲において、ドアは旋回可能にケーシングに取り付けられる。例えば、ケーシングのヒンジが、ドアのブラケット内にはめ込まれる。この、角度位置の第１の範囲において、ブラケットはヒンジに沿って第１の軸方向に第１の軸方向位置にまでスライドすることができ、この第１の軸方向位置において、ドアの第１の肩部が、ケーシングの第１の肩部に当接する。
【０００９】
逆に、まだ広く開放した位置にあるドアが軸線ＡＡ′に沿って前記軸線の第２の方向にスライドさせられると、ドアは第２の軸方向位置に到達し、この第２の軸方向位置において、前記ドアはケーシングから解離させられる。
【００１０】
ドアが第１の肩部に当接している場合には、ドアは、開放していると呼ばれる第２の角度位置範囲へ上方旋回させられることができる。前記第２の開放位置範囲においては、リブ又はより一般的にはドアの第２の肩部が、ケーシングの第２の肩部に当接する。前記第２の開放位置範囲においては、ドアのブラケット又はあらゆる別の部分が、例えば右側においてケーシングの第１の肩部又は肩部のセットに当接するのに対し、ドアの主面からドアの回転軸に対してほぼ垂直に突出したリブの左側の面は、ケーシングの第２の肩部に隣接する。
【００１１】
この第２の位置範囲においては、ドアはもはやスライドすることができない。なぜならば、左に向かっての回転軸ＡＡ′に沿ったドアの移動は、第１の肩部によって妨害されるのに対し、右への回転移動は、ケーシングの第２の肩部によって妨害されるからである。
【００１２】
ドアが第２の位置範囲にある間及びドアが閉鎖位置と呼ばれる第３の位置にあるときには、右側及び左側における前記当接が、スライドのロック機能を行う。前記閉鎖位置においては、ドアはケーシングの開口を閉鎖する。
【００１３】
要するに、本発明は、ケーシング及びドアを有するポータブルデータプレーヤ及び／又はレコーダに関するものであり、前記ドアは、軸線ＡＡ′を中心に旋回可能に前記ケーシングに取り付けられており、前記軸線ＡＡ′は第１及び第２の方向を規定しており、ドア及びケーシングは、相対的に少なくとも２つの角度位置範囲と閉鎖位置とを占めることが可能である。第１の位置範囲においてはドアは広く開放しており、第２の位置範囲においてはドアは開放しており、閉鎖位置は、ドアが前記ケーシングの開口を閉鎖する位置である。第１の角度位置範囲においては、ドアは軸線ＡＡ′に沿って第１の方向に第１の軸方向位置にまでスライドすることができ、この第１の軸方向位置においてドアの第１の肩部がケーシングの第１の肩部に当接する。第１の角度位置範囲においては、前記ドアは軸線ＡＡ′に沿って第２の軸方向に第２の軸方向位置にまでスライドすることができ、この第２の軸方向位置において、ドアとケーシングとは互いに解離させられる。第２の角度位置範囲と第１の軸方向位置とにおいては、ドアの第２の肩部がケーシングの第２の肩部に当接し、これにより、軸線ＡＡ′に沿った第２の方向へのドアのいかなる移動をも妨害する。
【００１４】
本発明は、ケーシング及びドアを有するポータブルデータプレーヤ及び／又はレコーダをも提案しており、前記ドアは、軸線ＡＡ′を中心に旋回可能に前記ケーシングに取り付けられており、ドア及びケーシングが、相対的に、ドアが開放している少なくとも２つの角度位置範囲と、閉鎖位置とを占めることができ、該閉鎖位置が、ドアが前記ケーシングの開口を閉鎖する位置であり、ドア又はケーシングの一方に肩部が、他方にリブが取り付けられており、リブが、角度位置範囲のうちの１つにおいて肩部に当接するようになっている。
【００１５】
ポータブルデータプレーヤ及び又はレコーダのドアも開示されており、前記ドアが、主面と、主面に対して垂直な３つのリブ、すなわち２つの第１のリブ及び第３のリブとを有しており、２つの第１のリブが、孔と、軸線ＡＡ′とを有しており、ドアのブラケットを形成するのに適しており、第３のリブは、軸線ＡＡ′を含みかつドアの主面に対してほぼ垂直な平面に対して交差せず、軸線ＡＡ′を含みかつドアの主面の平面に対して、約９０゜よりも小さな角度を形成した平面に対して交差するようになっている。
【００１６】
以下に本発明の有利な実施例を添付の図面につきさらに詳しく説明する。
【００１７】
まず述べるべきことは、本発明がコンパクトディスクプレーヤのケーシングへのドアの取付けに関するものであるということである。これが、図１、図２及び図３に本発明のために関連のある特徴のみが参照符号を有しかつ以下に説明される理由である。
【００１８】
図１はケーシング１及びドア２の斜視図である。
【００１９】
図２は本発明によるケーシング１及びドア２の後部を前方から見た斜視図である。図３は同じケーシング１及びドア２の側面図である。図２及び図３は主としてケーシング１へのドア２の取付けと、このような取付けを形成するための手段とに注目しているが、図２及び図３に示された形式は、当業者が容易に種々異なる部材を識別することができるように、コンパクトディスクプレーヤの通常の形式から近い。図１、図２及び図３においては、同じ機能を有するエレメントは、同じ参照符号で表されている。
【００２０】
図１に示されたケーシング１は、主ベース面３を有しており、主ベース面３は、前記ディスク（図示せず）がケーシング内の読取りのための所定の位置にある場合に、コンパクトディスクの平面に対してほぼ平行である。前記ケーシングの上部は開口４を有している。ケーシングの後部は２つの凹所５，６を有している。これらの凹所はケーシングの上面９からと、ケーシング１の後部の側面からの孔である形式である。前記各凹所５，６の面１９，２０から、シャフト７，８がそれぞれ突出している。ケーシング１の上面９には、面によって取り囲まれた孔１０も設けられており、前記面のうちの１つは当接面１１である。ケーシング１の上面９は、主ベース面３に対して平行でかつ該ベース面から離れた面である。前記面は、図１及び図２に示したようにケーシングの後部においてのみ存在していてよく、異なる高さを有する段状の面であることができる。
【００２１】
ドアは、図１及び図２に丸みを帯びた端部２３を有するほぼプレート１２の形状として示されている。ケーシング１へのドア２の取付けに関して、ドアには、主プレート１２の平面に対してほぼ垂直に突出した３つのリブ１４，１５，１８が設けられている。そのうち２つのリブ１４，１５にはそれぞれ孔１６，１７が設けられている。
【００２２】
以下に前記ケーシングの機能を説明する。まず、ケーシングに対するドアの角度位置のことが語られる場合には、ケーシングの主ベース面３と、ドア２を形成した主プレート１２の平面との間に形成される二平面の角度αのことが語られる。図１，図２及び図３に示された形式においては、これらの平面は容易に認識される。しかしながら、通常のディスクプレーヤにおいては、これらの平面は物理的に存在していなくてよい。なぜならば、例えばドア及び／又はケーシングは、美観又は別の理由から、ほぼ平面であるが完全には平面でない球形を有していてよいからである。最も一般的である前記の場合には、ケーシングのベース面３に相当する平面と、ドア２の主プレート１２に相当する平面とが仮想平面である。しかしながら、ドアが閉鎖位置にある場合には、これらの仮想平面の間の二平面の角度は０であり、前記角度は、ドアの開放に伴って増大すると言うことができる。
【００２３】
図２及び図３には、ドア２が、ドアの開放位置のうちの１つにおいて示されており、ドア２はケーシング１から取り外されている。ドアの取付けは以下のように行われる。まず、ドア２が広く開放した角度位置でケーシング１に近付けられ、リブ１４及び１５が凹所５及び６に配置される。次いでドア２が軸線ＡＡ′に対して平行に左側へ移動させられる。この移動によって、シャフト７及び８がそれぞれリブ１４及び１５の孔１６及び１７に嵌合する。ドア２は、リブ１４及び１５の左側又はリブの少なくとも一方が凹所５，６の面１９，２０の一方に当接するまで軸線ＡＡ′に沿ってスライドする。この位置において、シャフト７及び８がヒンジの機能を有し、リブ１４及び１５の孔１６及び１７がブラケットの機能を有することが分かる。ドアがさらに閉鎖位置に向かって旋回させられると、ドアは、第３のリブ１８がケーシングの孔１０に嵌合し、リブ１８の右側が前記孔１０の面１１に当接するような位置に到達する。前記第３のリブ１８が孔１０に進入し始める前記位置、言い換えれば、第３のリブ１８の右側がケーシング１の面１１に当接し始める位置は、広く開放した位置範囲と、開放位置範囲との中間位置である。
【００２４】
注目すべきことは、図１，図２及び図３に関連して上に説明した本発明は、本発明がよく理解されるように特定の実施例を示しているということである。本発明は、例としてあげたこの１つの実施例に制限されず、本発明による幾つかの択一的な実施例を以下に説明する。
【００２５】
まず、理解すべきことは、図面に示したようにブラケットがドアに設けられておりかつヒンジがケーシングに設けられていても、一部又は全部のブラケットがケーシングに設けられておりかつ一部又は全部のヒンジがドアに設けられていても、本発明にとっては同じことである。
【００２６】
２つよりも多い、例えば３つ又は４つ以上のブラケット及びヒンジを設けてもよい。緩みを防止するために十分に長ければ、１つのブラケット及びヒンジのみを設けてもよい。
【００２７】
第２に理解すべきことは、凹所５及び６の面１９及び２０として示されたケーシング１の第１の当接面が、ケーシング１の２１として示されたあらゆる肩部であってよく、前記肩部は、２１で示したように、面９の鉛直な段部によって、又はケーシング１の壁部のうちの１つの局所的な延長部によって形成されている。前記段部又は延長部２１は、軸線ＡＡ′に対して垂直に延びた肩部である。ケーシングの第１の当接肩部がケーシング１の壁部の段部又は延長部２１である場合には、ドアの対応する当接部はドア２の側面の一部２２であり、前記面の側部２２は軸線ＡＡ′に対して垂直である。注目すべきことは、リブ１４及び１５の孔１６及び１７が、シャフト７又は８の端部に当接する底部を有する盲孔である場合には、ドア２をここでは第１の軸方向である左側に維持するために特別に設けられた肩部は不要である。この場合、第１の当接面は、前記端部であるか又は前記端部の一方である。
【００２８】
第３に理解すべきことは、第３のリブ１８と、ケーシング１の孔１０の面１１の代わりに、ドア１の側部に配置されたリブ１８′を設けることができ、このリブは、ドアが開放位置の範囲の開始に達したときに、ケーシング１の壁部に当接する。これが、ケーシングの第２の肩部に当接するドアの第２の肩部のことが一般的に語られる理由である。実際にリブ１８にとって重要なことはリブが、軸線ＡＡ′を含みかつドア（２）の主面（１２）に対して、ドアの広く開放した位置とドアの開放した位置との境界となる角度よりも大きな角度を形成する平面に対しては交差せず、軸線ＡＡ′を含みかつドア（２）の主面に対して、ドアの広く開放した位置とドアの開放した位置との境界となる角度よりも小さな角度を形成する平面に対しては交差するようになっているということである。前記境界角度は、例えば約９０゜の値を有することができる。
【００２９】
本発明の興味深い特徴を以下に図２及び図３のみを参照に説明する。この特徴は、ドアを、開放位置範囲の位置のうちの少なくとも１つに維持するために設けられている。前記特徴は、コンパクトディスクの導入又は交換を容易にするためのものである。
【００３０】
リブ１８は第２の開放位置範囲においてケーシング１の肩部１１に当接すると説明した。有利な実施例では、前記リブ１８には孔２３が設けられている。肩部１１には、この肩部１１の表面から外方へ延びた突起２４が設けられている。機能は以下の通りである。ドアを閉鎖位置から開放させる場合に、突起２４はリブ１８の表面に沿って、前記突起が孔２３に嵌合する位置にまでスライドする。嵌合動作は、リブ１８の僅かな弾性と、プラスチック、例えばポリカーボネートとしての変形可能な材料から形成されたドアの僅かな変形によって生じる。嵌合及び離脱の動作を容易にするために、孔２３の縁部は面取りされた縁部である。また、突起２４の縁部が面取りされているとより容易である。このような孔２３は１つのみ設けられているが、複数の維持される開放位置が必要ならば、もちろんリブ１８に複数の孔２３を有することも可能である。前記特徴は、取付けの容易なドアに関連して説明したが、取外し不能なドアに関連して行うこともできる。注目すべきことは、この特徴については、突起２４がドアに設けられ、孔がケーシングに設けられても同じである。孔は、図２及び図３に示したように貫通孔であっても、盲孔、凹所又はロック切欠きであってもよい。
【００３１】
ここでは、本発明は、ケーシング及びドアを有するポータブルデータプレーヤ及び／又はレコーダのためのものであるが、前記ケーシング及びドアにはヒンジ及びブラケットが設けられており、これにより、ドアは軸線ＡＡ′を中心に旋回可能に前記ケーシングに取り付けられており、ドアとケーシングとは相対的に、ドアが開放した角度位置範囲と、閉鎖位置とを占めることができ、この閉鎖位置は、ドアが前記ケーシングの開口を閉鎖する位置であり、このデータプレーヤ及び／又はレコーダにおいて、ドア又はケーシングの一方には突起が、他方には肩部に凹所が設けられており、凹所の寸法は突起が凹所に嵌合することができるような寸法であり、突起は、開放位置範囲の少なくとも一部において肩部に当接し、前記突起は、突起が開放位置のうちの１つにおける凹所に突入する位置にある。
【図面の簡単な説明】
【図１】  本発明によるケーシングを示す斜視図である。
【図２】  本発明によるケーシング及びドアの後部を示す斜視図である。
【図３】  図２に示したドア及びケーシングを示す側面図である。
【符号の説明】
１  ケーシング、  ２  ドア、  ３  主ベース面、  ４  開口、  ５，６  凹所、  ７，８  シャフト、  ９  上面、  １０  孔、  １１  当接面、  １２  主プレート、  １４，１５，１８  リブ、  １６，１７  孔、  １９，２０  面、  ２１  段部、  ２３  孔、  ２４  突起
【図１】
0004250337.tif 000002
【図２】
0004250337.tif 000003
【図３】
0004250337.tif 000004